(57)【要約】【課題】各相コイルがスター結線された多相電動モータの中性点に接続される中性点駆動回路を備えた電動モータの制御装置において、中性点と中性点駆動回路との間の経路に異常が生じたときに電動モータの制御を行える制御装置を提供する。【解決手段】中性点と中性点駆動回路との間に遮断回路を設け、電動モータの制御装置において、中性点と遮断回路との間の経路に異常が生じたときに、遮断回路を通電状態にすると共に中性点駆動回路の出力をロー出力とし、中性点駆動回路と遮断回路との間の経路に異常が生じたときに遮断回路を遮断状態にする。【選択図】図１２
2015033269.tif 000002
【特許請求の範囲】
【請求項１】
各相コイルがスター結線された多相電動モータと、
前記多相電動モータを駆動する駆動手段と、
前記スター結線の中性点に接続される中性点駆動回路と、
を備えた電動モータの制御装置において、
前記中性点から前記中性点駆動回路までの経路に異常が生じたときに、前記中性点駆動回路の出力をロー出力とする、電動モータの制御装置。
【請求項２】
前記中性点と前記中性点駆動回路との間に遮断回路を備え、
前記中性点と前記遮断回路との間の経路に異常が生じたときに、前記遮断回路を通電状態にすると共に前記中性点駆動回路の出力をロー出力とする、請求項１記載の電動モータの制御装置。
【請求項３】
前記中性点と前記中性点駆動回路との間に遮断回路を備え、
前記中性点駆動回路と前記遮断回路との間の経路に異常が生じたときに、前記遮断回路を遮断状態にする、請求項１又は２記載の電動モータの制御装置。
【発明の詳細な説明】
【技術分野】
【０００１】
本発明は、各相コイルがスター結線された多相電動モータの制御装置に関する。
【背景技術】
【０００２】
特許文献１には、３相ブラシレスモータのスター結線されたコイルの中性点を所定の電源又は駆動回路に接続し、３相ブラシレスモータの１相に異常が発生した場合、中性点を異常となった相の代わりに使用してモータ内部で発生する磁界ベクトルを回転させて３相ブラシレスモータの駆動を継続させる、電動モータの制御装置が開示されている。
【先行技術文献】
【特許文献】
【０００３】
【特許文献１】特許第４７１０５２８号公報
【発明の概要】
【発明が解決しようとする課題】
【０００４】
ところで、従来では、中性点（中性点から中性点駆動回路までの経路）に地絡などの異常が発生すると、電動モータの制御が不能になってしまうという問題があった。
本発明は上記実情に鑑みなされたものであり、各相コイルがスター結線された多相電動モータの中性点に接続される中性点駆動回路を備えた電動モータの制御装置において、中性点と中性点駆動回路との間の経路に異常が生じたときに電動モータの制御を行える制御装置を提供することを目的とする。
【課題を解決するための手段】
【０００５】
そのため、本願発明に係る電動モータの制御装置は、各相コイルがスター結線された多相電動モータと、前記多相電動モータを駆動する駆動手段と、前記スター結線の中性点に接続される中性点駆動回路と、を備えた電動モータの制御装置において、前記中性点から前記中性点駆動回路までの経路に異常が生じたときに、前記中性点駆動回路の出力をロー出力とするようにした。
【発明の効果】
【０００６】
上記発明によると、中性点駆動回路の出力をロー出力とすることで、中性点駆動回路から異常個所に電流が流れ込むことを抑制でき、また、中性点を低インピーダンスで接地点電位に接続することができ、電動モータの制御を継続することが可能になる。
【図面の簡単な説明】
【０００７】
【図１】本発明の実施形態における電動パワーステアリング装置の概略構成図である。
【図２】本発明の実施形態における電動モータの駆動装置を示す回路図である。
【図３】本発明の実施形態におけるＷ相故障状態における制御プロセスを説明するための図である。
【図４】本発明の実施形態においてＵ相に平行な磁界成分とＵ相に直交する磁界成分とを磁界ベクトルの電気角に応じて示す線図である。
【図５】本発明の実施形態においてＵ相電流、Ｖ相電流、中性点電流を磁界ベクトルの電気角に応じて示す線図である。
【図６】本発明の実施形態においてＷ相故障状態におけるＶ相、Ｕ相、中性点の駆動デューティの特性を説明するための図である。
【図７】本発明の実施形態における相リレーの配置例を示す回路図である。
【図８】本発明の実施形態におけるHigh出力固定、Low出力固定、ハイインピーダンス出力固定の領域を磁界ベクトルの電気角に応じて示す線図である。
【図９】本発明の実施形態におけるHigh出力固定、Low出力固定、ハイインピーダンス出力固定の各領域及びハイインピーダンス出力固定状態での磁界ベクトルの電気角を示す図である。
【図１０】本発明の実施形態においてHigh出力固定、Low出力固定、ハイインピーダンス出力固定のいずれかに制御する場合に適用する回路図である。
【図１１】本発明の実施形態においてHigh出力固定、Low出力固定、ハイインピーダンス出力固定のいずれかに制御する場合に適用する回路図である。
【図１２】本発明の実施形態における中性点が地絡したときの制御プロセスを説明するための回路図である。
【図１３】本発明の実施形態における中性点駆動ラインの地絡を検出する回路を示す回路図である。
【発明を実施するための形態】
【０００８】
以下に本発明の実施の形態を説明する。
図１は、本発明に係る電動モータの制御装置の適用例としての電動パワーステアリング装置を示す。
【０００９】
図１に示す電動パワーステアリング装置１００は、車両２００に備えられ、操舵補助力を電動モータ１３０によって発生させる装置である。この電動パワーステアリング装置１００は、ステアリングホイール１１０、操舵トルクセンサ１２０、電動モータ１３０、電動モータ１３０の駆動装置１４０、コントロールユニット（制御装置）１５０、電動モータ１３０の回転を減速してステアリングシャフト１７０（ピニオンシャフト）に伝達する減速機１６０などを含んで構成される。
操舵トルクセンサ１２０及び減速機１６０は、ステアリングシャフト１７０を内包するステアリングコラム１８０内に設けられる。
【００１０】
ステアリングシャフト１７０の先端にはピニオンギア１７１が設けられていて、このピニオンギア１７１が回転すると、ラックギア１７２が車両２００の進行方向左右に水平移動する。ラックギア１７２の両端にはそれぞれ車輪２０１の操舵機構２０２が設けられており、ラックギア１７２が水平移動することで車輪２０１の向きが変えられる。
操舵トルクセンサ１２０は、車両の運転者がステアリング操作を行うことでステアリングシャフト１７０に発生する操舵トルクを検出し、検出した操舵トルクの信号ＳＴをコントロールユニット１５０に出力する。
【００１１】
マイクロコンピュータ（演算処理装置）を含むコントロールユニット１５０には、操舵トルク信号ＳＴの他、車速センサ１９０が出力する車速の信号ＶＳＰなどが入力される。
そして、コントロールユニット１５０は、操舵トルク信号ＳＴ、車速信号ＶＳＰなどに基づいて駆動装置１４０を制御することで、電動モータ１３０の発生トルク、つまり、操舵補助力を制御する。
なお、コントロールユニット１５０と駆動装置１４０とを一体化して設けることができる。
【００１２】
次に、駆動装置１４０の回路構成の一例を、図２を参照しつつ説明する。
電動モータ１３０は、Ｕ相コイル１３０Ｕ、Ｖ相コイル１３０Ｖ及びＷ相コイル１３０Ｗの３相コイルを有する３相ＤＣブラシレスモータ（３相同期電動機）である。電動モータ１３０のＵ相コイル１３０Ｕ、Ｖ相コイル１３０Ｖ及びＷ相コイル１３０Ｗは、一端が互いに接続されてスター結線とされ、Ｕ相コイル１３０Ｕ、Ｖ相コイル１３０Ｖ及びＷ相コイル１３０Ｗが互いに接続された点は中性点ＮＰをなす。
そして、駆動装置１４０は、インバータ回路（駆動手段）３００、プリドライバ４００（駆動手段）、電源リレー装置５００、中性点駆動回路６００を備える。
【００１３】
インバータ回路３００は、駆動ライン３１０Ｕ，３１０Ｖ，３１０Ｗを介して電動モータ１３０のＵ相コイル１３０Ｕ、Ｖ相コイル１３０Ｖ及びＷ相コイル１３０Ｗをそれぞれに駆動する３組の半導体スイッチ３２０ＵＨ，３２０ＵＬ，３２０ＶＨ，３２０ＶＬ，３２０ＷＨ，３２０ＷＬを備えた３相ブリッジ回路からなる。
本実施形態では、半導体スイッチ３２０ＵＨ，３２０ＵＬ，３２０ＶＨ，３２０ＶＬ，３２０ＷＨ，３２０ＷＬとして、Ｎチャンネル型ＭＯＳＦＥＴを用いる。
【００１４】
半導体スイッチ３２０ＵＨ，３２０ＵＬは、電源ライン５１０と接地点との間にドレイン−ソース間が直列接続され、半導体スイッチ３２０ＵＨと半導体スイッチ３２０ＵＬとの接続点に駆動ライン３１０Ｕの一端が接続され、駆動ライン３１０Ｕの他端には電動モータ１３０のＵ相コイル１３０Ｕが接続される。
半導体スイッチ３２０ＶＨ，３２０ＶＬは、電源ライン５１０と接地点との間にドレイン−ソース間が直列接続され、半導体スイッチ３２０ＶＨと半導体スイッチ３２０ＶＬとの接続点に駆動ライン３１０Ｖの一端が接続され、駆動ライン３１０Ｖの他端には電動モータ１３０のＶ相コイル１３０Ｖが接続される。
【００１５】
半導体スイッチ３２０ＷＨ，３２０ＷＬは、電源ライン５１０と接地点との間にドレイン−ソース間が直列接続され、半導体スイッチ３２０ＷＨと半導体スイッチ３２０ＷＬとの接続点に駆動ライン３１０Ｗの一端が接続され、駆動ライン３１０Ｗの他端には電動モータ１３０のＷ相コイル１３０Ｗが接続される。
各ＭＯＳＦＥＴ３２０ＵＬ，３２０ＶＬ，３２０ＷＬのソースと接地点との間には、電動モータ１３０の駆動電流を検出する電流検出器（電流検出抵抗）３４０が接続される。電流検出器３４０で検出した電流値は、図示しない増幅器などで増幅された後、コントロールユニット１５０に入力される。
【００１６】
また、中性点ＮＰとＵ相コイル１３０Ｕ、Ｖ相コイル１３０Ｖ及びＷ相コイル１３０Ｗとの間の駆動ライン３１０Ｕ，３１０Ｖ，３１０Ｗには、スイッチング手段として相リレー３３０Ｕ，３３０Ｖ，３３０Ｗを備えている。これらの相リレー３３０Ｕ，３３０Ｖ，３３０Ｗは、電磁リレー、或いは、ＭＯＳＦＥＴなどの半導体スイッチと当該半導体スイッチのドライバとの組み合わせのいずれでも構成することができる。
コントロールユニット１５０は、相リレー３３０Ｕ，３３０Ｖ，３３０Ｗのオン，オフを個別に制御する。
【００１７】
ここで、相リレー３３０Ｕ，３３０Ｖ，３３０Ｗをオフ状態（通電遮断状態）とすることによって、インバータ回路３００からＵ相コイル１３０Ｕ、Ｖ相コイル１３０Ｖ及びＷ相コイル１３０Ｗへの電力供給が遮断され、相リレー３３０Ｕ，３３０Ｖ，３３０Ｗをオン状態（通電状態）とすることによって、インバータ回路３００からＵ相コイル１３０Ｕ、Ｖ相コイル１３０Ｖ及びＷ相コイル１３０Ｗへの電力供給が行える状態になる。
また、中性点駆動回路６００は、Ｎチャンネル型ＭＯＳＦＥＴで構成される上アーム側の半導体スイッチ６００Ｈと下アーム側の半導体スイッチ６００Ｌとからなり、半導体スイッチ６００Ｈ，６００Ｌは電源ライン５１０と接地点との間にドレイン−ソース間が直列接続される。
【００１８】
そして、半導体スイッチ６００Ｈと半導体スイッチ６００Ｌとの接続点に、中性点ＮＰに一端が接続される駆動ライン６１０の他端が接続される。
駆動ライン６１０には、コントロールユニット１５０によってオン，オフが制御される中性点リレー６２０を設けてある。中性点リレー６２０は、電磁リレー、或いは、ＭＯＳＦＥＴなどの半導体スイッチと当該半導体スイッチのドライバとの組み合わせのいずれでも構成することができる。
【００１９】
プリドライバ４００は、インバータ回路３００における上流側駆動素子（上アーム）である半導体スイッチ３２０ＶＨ，３２０ＵＨ，３２０ＷＨをそれぞれに駆動する３つのＨ側ドライバ４１０Ｈと、インバータ回路３００における下流側駆動素子（下アーム）である半導体スイッチ３２０ＶＬ，３２０ＵＬ，３２０ＷＬをそれぞれに駆動する３つのＬ側ドライバ４１０Ｌとを備えている。
なお、プリドライバ４００をＳＯＩ（Silicon on Insulator）で構成することができ、これによって、浮遊容量が低減され、プリドライバ４００の高速度化及び低消費電力化を図ることができる。また、特定の部位が故障した際、他の部位に波及して別の故障が起きる可能性を低減することができる。
【００２０】
また、プリドライバ４００は、電動モータ１３０の相毎に、ブートストラップコンデンサＣに充電した電荷で上アーム（ＭＯＳＦＥＴ３２０ＵＨ，３２０ＶＨ，３２０ＷＨ）をそれぞれ駆動するための３つのブートストラップ回路（昇圧回路）４３０を備えている。
Ｈ側ドライバ４１０Ｈの出力端にはそれぞれＭＯＳＦＥＴ３２０ＵＨ，３２０ＶＨ，３２０ＷＨのゲートが接続され、ＭＯＳＦＥＴ３２０ＵＨ，３２０ＶＨ，３２０ＷＨはＨ側ドライバ４１０Ｈの出力に応じてオン，オフが制御される。
【００２１】
同様に、Ｌ側ドライバ４１０Ｌの出力端にはそれぞれＭＯＳＦＥＴ３２０ＵＬ，３２０ＶＬ，３２０ＷＬのゲートが接続され、ＭＯＳＦＥＴ３２０ＵＬ，３２０ＶＬ，３２０ＷＬはＬ側ドライバ４１０Ｌの出力に応じてオン，オフが制御される。
また、プリドライバ４００は、中性点駆動回路６００における半導体スイッチ６００Ｈを駆動するＨ側ドライバ４２０Ｈ、中性点駆動回路６００における半導体スイッチ６００Ｌを駆動するＬ側ドライバ４２０Ｌを備えている。
【００２２】
Ｈ側ドライバ４２０Ｈの出力端にはＭＯＳＦＥＴ６００Ｈのゲートが接続され、Ｌ側ドライバ４２０Ｌの出力端にはＭＯＳＦＥＴ６００Ｌのゲートが接続され、ＭＯＳＦＥＴ６００Ｈ，６００Ｌは、ドライバ４２０Ｈ，４２０Ｌの出力に応じてオン，オフが制御される。
プリドライバ４００は、プリドライバ４００の電源であるバッテリ７００の電圧を昇圧する昇圧回路であるチャージポンプ（昇圧回路）４４０を備えている。
【００２３】
コントロールユニット１５０に含まれるマイクロコンピュータ１５１は、ドライバ４１０Ｈ，４１０Ｌ及びドライバ４２０Ｈ，４２０ＬをＰＷＭ制御するためのＰＷＭ操作信号を出力する出力ポート１５２Ａ，１５２Ｂを有する。
電源リレー装置５００は、バッテリ（電源）７００からインバータ回路３００及び中性点駆動回路６００に向けて電源供給する電源ライン５１０に介装され、互いに並列に接続される第１遮断器５０１Ａと第２遮断器５０１Ｂとを備える。
【００２４】
なお、電源リレー装置５００を構成する遮断器５０１Ａ，５０１Ｂは、電磁リレー、或いは、ＭＯＳＦＥＴなどの半導体スイッチと当該半導体スイッチのドライバとの組み合わせのいずれでも構成することができる。
また、インバータ回路３００及び中性点駆動回路６００を構成する各ＭＯＳＦＥＴにおいて、ドレイン−ソース間のダイオードは寄生（内部）ダイオードである。
【００２５】
コントロールユニット１５０は、電動モータ１３０の各相が正常である場合、相リレー３３０Ｕ，３３０Ｖ，３３０Ｗをオン状態に制御する一方で、中性点リレー６２０をオフ状態（通電遮断状態）に制御し、プリドライバ４００を介してインバータ回路３００の半導体スイッチ３２０ＵＨ，３２０ＵＬ，３２０ＶＨ，３２０ＶＬ，３２０ＷＨ，３２０ＷＬのオン，オフをＰＷＭ制御することで、電動モータ１３０を駆動する。
ここで、コントロールユニット１５０は、操舵トルク信号ＳＴや車速信号ＶＳＰなどに基づいてＰＷＭ信号のデューティ比を可変とし、電動モータ１３０の回転速度（トルク）を制御する。
【００２６】
また、コントロールユニット１５０は、電動モータ１３０のＵ相、Ｖ相及びＷ相の故障の有無を検出する機能（診断機能）を有する。例えば、コントロールユニット１５０は、プリドライバ４００に出力するＰＷＭ信号（パルス幅変調信号）と各相のモータ電圧とを比較することによって、Ｕ相、Ｖ相及びＷ相の故障の有無を診断する。
なお、各相の故障には、各相毎のインバータの故障、相コイルの断線や地絡、更に、相リレーのオープン故障などが含まれる。
【００２７】
ここで、コントロールユニット１５０は、Ｕ相、Ｖ相、Ｗ相のうちのいずれか１つの相の故障を検出した場合、故障を検出した相の駆動ラインに設けられる相リレー３３０をオフ状態に制御することで、故障が発生している相への電力供給を遮断し、また、中性点リレー６２０をオン状態（通電状態）に制御することで、中性点ＮＰの電位を中性点駆動回路６００によって制御できる状態にする。
そして、コントロールユニット１５０は、正常な２相に流れる電流の目標を、発生させたい磁界ベクトルに応じて決定し、これに応じて、インバータ回路３００及び中性点駆動回路６００を制御することで、１相に故障が発生した状態で電動モータ１３０の駆動を継続する。
【００２８】
３相のうちの１相に故障が発生した場合におけるコントロールユニット１５０による相電流の制御プロセスを、図３を参照しつつ説明する。
Ｗ相に故障が発生した場合を一例とすると、コントロールユニット１５０は、相リレー３３０Ｕ，３３０Ｖをオン状態に保持する一方で、相リレー３３０Ｗをオフ状態に切り替えてＷ相を遮断し、中性点リレー６２０をオン状態に制御し、図３に示すリレー制御状態とする。
【００２９】
また、コントロールユニット１５０は、磁極位置に応じて決まる発生させたい磁界ベクトルを、例えば正常であるＵ相に平行な成分と正常であるＵ相に直交する成分とに分解する。
ここで、Ｕ相に平行な成分はＵ相及びＶ相で発生させることができるが、Ｕ相に直交する成分は正常な２相のうちの他方であるＶ相でしか発生させることができない。そこで、コントロールユニット１５０は、Ｕ相に直交する成分をＶ相で発生させることになるＶ相の発生磁界ベクトル（Ｖ相目標電流）を求める。
更に、コントロールユニット１５０は、Ｖ相の発生磁界ベクトルのＵ相に平行な成分を求めて、発生させたい磁界ベクトルのＵ相に平行な成分と、Ｖ相の発生磁界ベクトルのＵ相に平行な成分とから、最終的にＵ相の発生磁界ベクトル（Ｕ相目標電流）を求める。
【００３０】
図４は、発生させたい磁界ベクトル（目標磁界ベクトル）の電気角毎（磁極位置毎）に、発生させたい磁界ベクトルをＵ相に平行な成分とＵ相に直交する成分とに分解した様子を示す。
また、図５は、図４のＵ相に平行な成分及びＵ相に直交する成分に基づき決定されるＵ相及びＶ相の目標電流を例示するものであり、Ｕ相の目標電流とＶ相の目標電流との合計が、中性点駆動回路６００への流出入電流（中性点電流）となる。
【００３１】
尚、上記では、発生させたい磁界ベクトルをＵ相に平行な成分とＵ相に直交する成分とに分解したが、Ｗ相の故障状態で、発生させたい磁界ベクトルをＶ相に平行な成分とＶ相に直交する成分とに分解しても、正常な２相（Ｕ相、Ｖ相）の目標電流を決定できることは明らかであり、また、Ｗ相以外のＵ相又はＶ相に故障が発生した場合も同様にして、正常な２相の目標電流を決定できることは明らかである。
【００３２】
上記のようにして、コントロールユニット１５０は、正常な２相の目標電流を決定すると、次いで、正常な２相の駆動デューティ及び中性点駆動回路６００の駆動デューティを決定する。
例えば、中性点駆動回路６００の駆動デューティを５０％に固定すると、電動モータ１３０の正常な相に印加できる電圧は電源電圧の１／２になり、１相の故障状態で電源電圧を有効に使用することができない。
【００３３】
そこで、コントロールユニット１５０は、中性点駆動回路６００から電動モータ１３０の正常な相に電流を流し込む場合には中性点駆動回路６００の出力電圧及びデューティ（オンデューティ）を大きくし、逆に、電動モータ１３０の正常な相から中性点駆動回路６００に電流を引き込みたい場合には中性点駆動回路６００の出力電圧及びデューティ（オンデューティ）を小さくすることで、電源電圧の有効利用を図る。
例えば、Ｗ相に故障が発生しＵ相とＶ相とを駆動して電動モータ１３０を駆動させる場合、図５に示すように、発生させたい磁界ベクトルの電気角が２４０degであるときに中性点駆動回路６００からの流し込み電流を最大となり、発生させたい磁界ベクトルの電気角が６０degであるときに中性点駆動回路６００に引き込む電流を最大となるように、中性点駆動回路６００の駆動デューティを決定する。なお、本願では、Ｕ相コイルの角度位置を、磁界ベクトルの電気角が０degの位置として表すものとする。
【００３４】
コントロールユニット１５０は、例えばＷ相の故障状態における中性点駆動回路６００のデューティを、発生させたい磁界ベクトルの電気角をθとしたときに、５０％＋５０％×sin（θ−１５０deg）として算出する。
中性点駆動回路６００のデューティ＝５０％＋５０％×sin（θ−１５０deg）とすることで、発生させたい磁界ベクトルの電気角が２４０degであるときにsin（θ−１５０deg）＝１となって中性点駆動回路６００のデューティが１００％に設定され、中性点駆動回路６００からの流し込み電流が最大となる。また、発生させたい磁界ベクトルの電気角が６０degであるときにsin（θ−１５０deg）＝−１となって中性点駆動回路６００のデューティが０％に設定され、中性点駆動回路６００に引き込む電流が最大になる。
【００３５】
また、発生させたい磁界ベクトルの電気角が１５０deg及び３３０degのときに、中性点駆動回路６００のデューティは５０％に設定され、中性点駆動回路６００のデューティは、図５に示すように、磁界ベクトルの電気角で３６０degを１周期として０％と１００％との間で正弦波を示すように変化する。
なお、中性点駆動回路６００の半導体スイッチ６００Ｈと半導体スイッチ６００Ｌとは、相補制御方式により相互に逆位相のＰＷＭ波で駆動されるものとし、中性点駆動回路６００の駆動デューティは、上段（Ｈ側）の駆動デューティを示すものとする。
【００３６】
従って、中性点駆動回路６００のデューティ１００％とは、半導体スイッチ６００Ｈがオン固定、半導体スイッチ６００Ｌがオフ固定の状態、つまり、中性点駆動回路６００の出力がハイに固定される状態であり、逆に、中性点駆動回路６００のデューティ０％とは、半導体スイッチ６００Ｈがオフ固定、半導体スイッチ６００Ｌがオン固定の状態、つまり、中性点駆動回路６００の出力がローに固定される状態である。
【００３７】
但し、中性点駆動回路６００の駆動デューティの決定方法としては、上記のように、発生させたい磁界ベクトルの電気角に応じて０％から１００％の間で連続的に変化させる方法に限定されない。
例えば、コントロールユニット１５０は、電動モータ１３０の正常な相に印加したい電圧が電源電圧の１／２で十分である場合には中性点駆動回路６００の駆動デューティを５０％に固定し、正常な相に印加したい電圧が電源電圧の１／２では不足する場合には、５０％を中心とするデューティの振れ幅を拡大することができる。
【００３８】
つまり、Ｗ相の故障状態を例とすれば、５０％＋ｆ（印加したい電圧）×sin（θ−１５０deg）を中性点駆動回路６００の駆動デューティとすることができる。そして、例えば、印加したい電圧を変数とする関数ｆで求められるデューティを３０％とすれば、中性点駆動回路６００の駆動デューティは、２０％〜８０％の範囲で連続的に変化し、発生させたい磁界ベクトルの電気角が２４０degであるときに中性点駆動回路６００の駆動デューティが８０％に設定され、発生させたい磁界ベクトルの電気角が６０degであるときに中性点駆動回路６００のデューティが２０％に設定されることになる。
【００３９】
上記のようにしてコントロールユニット１５０は、中性点駆動回路６００の駆動デューティを決定すると、次いで、正常な各相コイルの印加電圧を算出し、係る印加電圧に基づき正常な各相の駆動デューティを決定する。コントロールユニット１５０は、発生させたい磁界ベクトルに基づき設定した各相の目標電流を通電させるために必要な各相コイルの印加電圧を算出し、係る印加出圧に中性点駆動回路６００の出力電圧分を加算して、各相の最終的な電圧及び駆動デューティを決定する。
【００４０】
図６は、Ｗ相が故障状態であり、Ｖ相に流す電流の倍の電流をＵ相に流すことで、目標の磁界ベクトルを発生させることができる場合を例示する。
中性点ＮＰが接地点電位であると仮定したときに、Ｖ相に流す電流の倍の電流をＵ相に流すためにＶ相の駆動デューティを１０％とし、Ｕ相の駆動デューティを２０％とすることが要求されるとすると、中性点駆動回路６００の制御によって中性点ＮＰの電位が接地点電位から変化する分だけＶ相、Ｕ相の駆動デューティを補正する。
以上の操作により、正常な２相の電流の合計が中性点駆動回路６００への流出入電流となり、正常な２相に目標電流に近い電流を流すことができる。
【００４１】
なお、図２に示した例では、中性点ＮＰとＵ相コイル１３０Ｕ、Ｖ相コイル１３０Ｖ及びＷ相コイル１３０Ｗとの間の駆動ライン３１０Ｕ，３１０Ｖ，３１０Ｗに相リレー３３０Ｕ，３３０Ｖ，３３０Ｗを設けたが、係る相リレー３３０Ｕ，３３０Ｖ，３３０Ｗの配置に限定されるものではない。
例えば、図７に示すように、Ｕ相コイル１３０Ｕ、Ｖ相コイル１３０Ｖ及びＷ相コイル１３０Ｗとインバータ回路３００との間の駆動ライン３１０Ｕ，３１０Ｖ，３１０Ｗに相リレー３３０Ｕ，３３０Ｖ，３３０Ｗを設け、コントロールユニット１５０は、故障が発生した相の相リレー３３０をオフに制御することができる。
【００４２】
ところで、図５に例示したように、１相に故障が発生した場合に、目標の磁界ベクトルを発生させるために正常な２相に流す電流（目標電流）の位相差は６０degとなり、中性点駆動回路６００への流出入電流は正常な相の電流の合計となるから、中性点駆動回路６００への流出入電流のピーク（電流の振幅）は、正常な各相の電流のピーク（電流の振幅）よりも大きくなる。
よって、インバータ回路３００を構成する半導体スイッチ（ＭＯＳＦＥＴ）と同じ素子を中性点駆動回路６００に用いる場合、中性点駆動回路６００の流出入電流のピークが中性点駆動回路６００を構成する素子の電流耐量以内となることが、正常な２相で発生させ得る磁界ベクトルの大きさの制約となり、１相が故障した状態で発生できる磁界ベクトルの大きさは全相が正常である場合に比べて１／３程度になる。
【００４３】
更に、中性点駆動回路６００でのスイッチング損失は、電流ピークが大きい分だけ正常な各相のＰＷＭ駆動におけるスイッチング損失よりも大きくなり、電動モータ１３０が発生するトルクを弱める結果となる。
そこで、中性点駆動回路６００におけるスイッチング損失を低減するために、コントロールユニット１５０は、中性点駆動回路６００のＰＷＭ制御周波数（キャリア周波数）を、インバータ回路３００のＰＷＭ制御周波数よりも低くする。
【００４４】
例えば、コントロールユニット１５０は、中性点駆動回路６００のＰＷＭ制御周波数（キャリア周波数）を、インバータ回路３００のＰＷＭ制御周波数の１／４程度とする。
これにより、中性点駆動回路６００におけるスイッチング損失が低減し、より大きなトルクを電動モータ１３０で発生させることができる。
【００４５】
また、電動モータ１３０の１相に故障が発生し、正常な２相を駆動するときの中性点駆動回路６００におけるスイッチング損失を低減する手法として、中性点駆動回路６００の出力を目標磁界ベクトルの電気角（磁極位置）に応じて段階的に変化させる制御プロセスを採用することができる。
図８は、Ｗ相に故障が発生しＵ相及びＶ相を駆動するときのＵ相電流、Ｖ相電流、中性点電流と中性点駆動回路６００の出力との相関を示す。
【００４６】
図８において、中性点駆動回路６００の出力は、High出力固定、Low出力固定、ハイインピーダンス（Ｈｉ−Ｚ）出力固定の３種類に段階的に切り替えられる。
ここで、High出力固定とは、半導体スイッチ６００Ｈの駆動デューティを１００％（半導体スイッチ６００Ｈをオン状態）に固定し、半導体スイッチ６００Ｌの駆動デューティを０％（半導体スイッチ６００Ｌをオフ状態）に固定するモードである。
【００４７】
また、Low出力固定とは、半導体スイッチ６００Ｈの駆動デューティを０％（半導体スイッチ６００Ｈをオフ状態）に固定し、半導体スイッチ６００Ｌの駆動デューティを１００％（半導体スイッチ６００Ｌをオン状態）に固定するモードである。
更に、ハイインピーダンス出力固定とは、半導体スイッチ６００Ｈ及び半導体スイッチ６００Ｌの駆動デューティを共に０％（半導体スイッチ６００Ｈ，６００Ｌを共にオフ状態）に固定するモードである。
つまり、High出力固定、Low出力固定、ハイインピーダンス出力固定のいずれにおいても、半導体スイッチ６００Ｈ，６００Ｌをスイッチング動作させずに（デューティ制御せずに）、オン状態又はオフ状態に固定する。
【００４８】
そして、コントロールユニット１５０は、Ｕ相及びＶ相における電流の向きが共に正、つまり、Ｕ相及びＶ相における電流の向きが共にインバータ回路３００からの流し出し方向の場合には、中性点駆動回路６００の駆動デューティをLow出力固定とする。
また、コントロールユニット１５０は、Ｕ相及びＶ相における電流の向きが共に負、つまり、Ｕ相及びＶ相における電流の向きが共にインバータ回路３００に流し込む方向の場合には、中性点駆動回路６００の駆動デューティをHigh出力固定とする。
【００４９】
更に、コントロールユニット１５０は、Ｕ相における電流の向きと、Ｖ相における電流の向きとが異なる場合、つまり、Ｕ相における電流の向きが正でＶ相における電流の向きが負である場合、若しくは、Ｕ相における電流の向きが負でＶ相における電流の向きが正である場合には、中性点駆動回路６００の駆動デューティをハイインピーダンス（Ｈｉ−Ｚ）出力固定とする。
図８に示すＷ相の故障状態では、目標磁界ベクトルの電気角が０deg〜１２０degの領域でLow出力固定とされ、目標磁界ベクトルの電気角が１８０deg〜３００degの領域でHigh出力固定とされ、目標磁界ベクトルの電気角が１２０deg〜１８０degの領域及び３００deg〜３６０degの領域でハイインピーダンス出力固定とされる。
【００５０】
上記のように、中性点駆動回路６００の出力を目標磁界ベクトルの電気角（磁極位置）に応じてHigh出力固定、Low出力固定、ハイインピーダンス出力固定の３種類に段階的に切り替える場合、図９に示すように、High出力固定又はLow出力固定とする領域では、Ｕ相の電流とＶ相の電流との合計が中性点駆動回路６００への流出入電流となるため、目標磁界ベクトルを発生させることができる。
一方、中性点駆動回路６００の出力をハイインピーダンス出力固定とする領域では、Ｕ相及びＶ相に流れる電流が同じ大きさになり、発生できる磁界ベクトルの方向が、図中に示すVE１方向、VE２方向に固定されることになる。
【００５１】
そのため、電動モータ１３０の回転角変化に対するモータ出力トルクの変動が発生するが、ハイインピーダンス出力固定とする領域でも少なくとも３０degおきの電気角で磁界ベクトルを発生させることができるので、電動モータ１３０を回転させることは可能である。
なお、ハイインピーダンス出力固定とする目標磁界ベクトルの電気角領域（１２０deg〜１８０degの領域及び３００deg〜３６０degの領域）では、中性点ＮＰに流れる電流が小さいので、ハイインピーダンス出力固定とする代わりに、半導体スイッチ６００Ｈをデューティ５０％でスイッチング動作させ、半導体スイッチ６００Ｌを逆位相のデューティ５０％でスイッチング動作させるデューティ制御（デューティ出力状態）を行わせることもできる。
【００５２】
そして、上記のように、High出力固定、Low出力固定、ハイインピーダンス出力固定の３種類、或いは、High出力固定、Low出力固定、デューティ出力固定の３種類に切り替える構成では、High出力固定の領域、Low出力固定の領域、ハイインピーダンス出力固定の領域のそれぞれで、或いは、High出力固定の領域及びLow出力固定の領域で、中性点駆動回路６００の半導体スイッチ６００Ｈ、６００Ｌをスイッチング動作させない（ＰＷＭ駆動しない）ので、スイッチング損失を低減することができる。そのため、中性点ＮＰに通電できる電流量の絶対値を、ＰＷＭ駆動する場合に比べて大きくすることができ、以って、発生する磁界ベクトルの大きさ及びモータ出力トルクを増大させることができる。
【００５３】
また、High出力固定、Low出力固定、ハイインピーダンス出力固定の３種類に切り替える構成では、スイッチング損失を略零とすることができるから、中性点駆動回路６００を構成する半導体スイッチの選定においてスイッチング速度を考慮する必要性が殆どなくなり、オン抵抗が小さいことを優先して半導体スイッチを選定することができる。
そして、オン抵抗が小さい半導体スイッチを用いれば、中性点駆動回路６００における損失を更に低減でき、中性点ＮＰに通電できる電流量の絶対値を更に大きくし、発生する磁界ベクトルの大きさ及びモータ出力トルクを更に増大させることができる。
【００５４】
更に、High出力固定、Low出力固定、ハイインピーダンス出力固定の３種類に切り替える構成では、中性点駆動回路６００をＰＷＭ駆動しないので、ドライバ及びマイクロコンピュータ１５１の制御用端子もＰＷＭ駆動に対応する必要がなく、中性点駆動回路６００を構成する半導体スイッチ（ＦＥＴ）のゲートに接続されるゲート抵抗も大きな抵抗値のものを採用することができるので、下アームの半導体スイッチ６００Ｌをマイクロコンピュータ１５１の制御用端子で直接駆動しても、半導体スイッチ側に印加されたサージの伝播によりマイクロコンピュータ１５１が故障することを抑制できる。
【００５５】
このため、中性点駆動回路６００の駆動状態をHigh出力固定、Low出力固定、ハイインピーダンス出力固定の３種類に切り替える場合、図２及び図７に示した中性点駆動回路６００の駆動するための回路構成を簡略化することが可能となる。
図１０は、中性点駆動回路６００の駆動状態をHigh出力固定、Low出力固定、ハイインピーダンス出力固定の３種類に切り替える制御を適用することができる、より簡略化した駆動装置１４０の一例を示す。
【００５６】
図１０の回路構成は、図２に示した回路に対して、中性点駆動回路６００を構成する上アーム側の半導体スイッチを変更し、プリドライバ４００のＨ側ドライバ４２０Ｈ及びＬ側ドライバ４２０Ｌを省略し、中性点駆動回路６００を構成する半導体スイッチをマイクロコンピュータ１５１の制御用端子で直接駆動するようにした点が異なる。
なお、図１０において、図２と共通する構成については同じ符号を付して詳細な説明を省略する。
【００５７】
図１０に示す駆動装置１４０においては、中性点駆動回路６００の上アームを構成する半導体スイッチ６００ＨとしてＰチャンネル型ＭＯＳＦＥＴを用い、中性点駆動回路６００の下アームを構成する半導体スイッチ６００ＬとしてＮチャンネル型ＭＯＳＦＥＴを用いていて、Ｐチャンネル型ＭＯＳＦＥＴ６００Ｈのソース−ドレイン間を電源ライン５１０と接地点との間に直列接続し、Ｐチャンネル型ＭＯＳＦＥＴ６００ＨのドレインにＮチャンネル型ＭＯＳＦＥＴ６００Ｌのドレインを接続して、Ｐチャンネル型ＭＯＳＦＥＴ６００Ｈのドレインと接地点との間にＮチャンネル型ＭＯＳＦＥＴ６００Ｌのドレイン−ソース間を直列接続させてある。
【００５８】
また、Ｐチャンネル型ＭＯＳＦＥＴ６００Ｈのソースとゲートとが抵抗Ｒ１を介して接続され、また、Ｐチャンネル型ＭＯＳＦＥＴ６００Ｈのゲートと接地点との間に、ＮＰＮ型トランジスタＴＲのコレクタ−エミッタ間を直列接続し、ＮＰＮ型トランジスタＴＲのベースとマイクロコンピュータ１５１の汎用ポート１５２Ｃとを接続してある。
一方、Ｎチャンネル型ＭＯＳＦＥＴ６００Ｌのゲートとマイクロコンピュータ１５１の汎用ポート１５２Ｃとが抵抗（ゲート抵抗）Ｒ２を介して接続される。
【００５９】
上記構成において、マイクロコンピュータ１５１の汎用ポート１５２ＣからＮＰＮ型トランジスタＴＲのベースにハイ信号を出力すると、ＮＰＮ型トランジスタＴＲのコレクタ−エミッタ間に電流が流れる状態（ＮＰＮ型トランジスタＴＲのオン状態）になる。
係るＮＰＮ型トランジスタＴＲのオン状態では、Ｐチャンネル型ＭＯＳＦＥＴ６００Ｈのソースよりもゲートの電圧が低くなってＰチャンネル型ＭＯＳＦＥＴ６００Ｈのソース−ドレイン間に電流が流れる状態（Ｐチャンネル型ＭＯＳＦＥＴ６００Ｈのオン状態）になる。
【００６０】
一方、マイクロコンピュータ１５１の汎用ポート１５２ＣからＮＰＮ型トランジスタＴＲのベースにロー信号を出力し、ＮＰＮ型トランジスタＴＲがオフ状態になると、Ｐチャンネル型ＭＯＳＦＥＴ６００Ｈのソースとゲートとの間の電圧が同じになってＰチャンネル型ＭＯＳＦＥＴ６００Ｈのオフ状態となり、Ｐチャンネル型ＭＯＳＦＥＴ６００Ｈのソース−ドレイン間には電流が流れない。
また、マイクロコンピュータ１５１の汎用ポート１５２ＣからＮチャンネル型ＭＯＳＦＥＴ６００Ｌのゲートにハイ信号を出力すると、Ｎチャンネル型ＭＯＳＦＥＴ６００Ｌがオン状態となってドレイン−ソース間に電流が流れるようになる。
【００６１】
一方、マイクロコンピュータ１５１の汎用ポート１５２ＣからＮチャンネル型ＭＯＳＦＥＴ６００Ｌのゲートにロー信号を出力すると、Ｎチャンネル型ＭＯＳＦＥＴ６００Ｌがオフ状態となってドレイン−ソース間に電流が流れない。
従って、マイクロコンピュータ１５１の汎用ポート１５２ＣからＮＰＮ型トランジスタＴＲのベースにロー信号を出力し、マイクロコンピュータ１５１の汎用ポート１５２ＣからＮチャンネル型ＭＯＳＦＥＴ６００Ｌのゲートにハイ信号を出力すれば、中性点駆動回路６００はLow出力固定状態となる。
【００６２】
また、マイクロコンピュータ１５１の汎用ポート１５２ＣからＮＰＮ型トランジスタＴＲのベースにハイ信号を出力し、マイクロコンピュータ１５１の汎用ポート１５２ＣからＮチャンネル型ＭＯＳＦＥＴ６００Ｌのゲートにロー信号を出力すれば、中性点駆動回路６００はHigh出力固定となる。
更に、マイクロコンピュータ１５１の汎用ポート１５２ＣからＮＰＮ型トランジスタＴＲのベースにロー信号を出力し、マイクロコンピュータ１５１の汎用ポート１５２ＣからＮチャンネル型ＭＯＳＦＥＴ６００Ｌのゲートにロー信号を出力すれば、中性点駆動回路６００はハイインピーダンス出力固定となる。
【００６３】
即ち、図１０に示した回路構成で、例えば、図８に示すＷ相の故障状態が発生したと仮定すると、マイクロコンピュータ１５１は、目標磁界ベクトルの電気角が０deg〜１２０degの領域では汎用ポート１５２ＣからＮＰＮ型トランジスタＴＲのベースにロー信号を出力し、Ｎチャンネル型ＭＯＳＦＥＴ６００Ｌのゲートにハイ信号を出力することで、Low出力固定状態とする。
【００６４】
また、目標磁界ベクトルの電気角が１８０deg〜３００degの領域では、マイクロコンピュータ１５１は、汎用ポート１５２ＣからＮＰＮ型トランジスタＴＲのベースにハイ信号を出力し、Ｎチャンネル型ＭＯＳＦＥＴ６００Ｌのゲートにロー信号を出力することで、High出力固定状態とする。
更に、目標磁界ベクトルの電気角が１２０deg〜１８０degの領域及び３００deg〜３６０degの領域では、マイクロコンピュータ１５１は、汎用ポート１５２ＣからＮＰＮ型トランジスタＴＲのベースにロー信号を出力し、Ｎチャンネル型ＭＯＳＦＥＴ６００Ｌのゲートにロー信号を出力することで、ハイインピーダンス出力固定状態とする。
【００６５】
このように、High出力固定、Low出力固定、ハイインピーダンス出力固定のいずれかに切り替える構成において、図１０の回路構成を適用すれば、中性点駆動回路６００を駆動するための回路構成を簡略化でき、また、抵抗Ｒ２の抵抗値を大きくすることで、サージの伝播によるマイクロコンピュータ１５１の故障を抑制できる。
なお、図１０に示す回路構成では、中性点ＮＰとＵ相コイル１３０Ｕ、Ｖ相コイル１３０Ｖ及びＷ相コイル１３０Ｗとの間の駆動ライン３１０Ｕ，３１０Ｖ，３１０Ｗに相リレー３３０Ｕ，３３０Ｖ，３３０Ｗを設けるが、図１１に示すように、Ｕ相コイル１３０Ｕ、Ｖ相コイル１３０Ｖ及びＷ相コイル１３０Ｗとインバータ回路３００との間の駆動ライン３１０Ｕ，３１０Ｖ，３１０Ｗに相リレー３３０Ｕ，３３０Ｖ，３３０Ｗを設けることができる。
【００６６】
ところで、中性点ＮＰが地絡した場合に、電動モータ１３０の駆動を正常状態と同様に継続させると、相コイルに過電流が流れて更なる故障を引き起こす可能性があると共に、各相コイルへの正常な通電及び意図したモータ出力トルクの発生が実現できない。
そこで、コントロールユニット１５０は、中性点ＮＰの地絡に対して後述する制御を実施することで、相コイルに過大電流が流れることを抑制しつつ、電動モータ１３０の継続動作を実現する。
なお、以下に説明する中性点ＮＰが地絡した場合におけるコントロールユニット１５０の制御は、図２、図７、図１０、図１１のいずれの回路構成においても適用可能である。
【００６７】
コントロールユニット１５０は、例えば、中性点リレー６２０をオフ状態でインバータ回路３００の上アームを構成する半導体スイッチ３２０ＵＨ、３２０ＶＨ、３２０ＷＨに流れ込む電流を電流検出器３４１（図１２参照）で検出することで、中性点ＮＰの地絡による過電流の発生を検出する。
そして、コントロールユニット１５０は、中性点ＮＰの地絡（中性点ＮＰから中性点リレー６２０までの間における地絡故障）を検出すると、中性点リレー６２０をオフ状態からオン状態に切り替え制御し、更に、中性点駆動回路６００をLow出力固定状態、つまり、半導体スイッチ６００Ｈの駆動デューティを０％（半導体スイッチ６００Ｈをオフ状態）に固定し、半導体スイッチ６００Ｌの駆動デューティを１００％（半導体スイッチ６００Ｌをオン状態）に固定する。
【００６８】
中性点リレー６２０をオン状態に制御しても中性点駆動回路６００をLow出力固定状態とすれば、中性点駆動回路６００と地絡点との間で過大な電流が流れることはなく、また、地絡した箇所のインピーダンスは不明であるが中性点駆動回路６００をLow出力固定状態とすることで、中性点ＮＰを低インピーダンスでグランドＧＮＤ電位に接続することができる。
上記のように、中性点リレー６２０をオン状態に制御し、かつ、中性点駆動回路６００をLow出力固定状態とすると、インバータ回路３００は電流の流し出ししかできないことになるが、インバータ回路３００における各相の出力デューティを変化させて各相コイルへの通電電流（流し出し電流）を制御することで、任意の磁界ベクトルを発生させて電動モータ１３０を駆動することができる。
【００６９】
図１２は、中性点ＮＰが地絡した場合でのコントロールユニット１５０の制御動作を説明するための図である。
中性点リレー６２０がオン状態で、かつ、中性点駆動回路６００をLow出力固定状態としたときには、前述のように、インバータ回路３００における流出入電流は各相への流し出しだけとなり、Ｕ相コイル１３０Ｕにのみ電流を流し出したときの磁界ベクトルの方向は図１２に示す１８０degの方向となり、Ｖ相コイル１３０Ｖにのみ電流を流し出したときの磁界ベクトルの方向は図１２に示す３００degの方向となり、Ｗ相コイル１３０Ｗにのみ電流を流し出したときの磁界ベクトルの方向は図１２に示す６０degの方向となる。
【００７０】
そこで、コントロールユニット１５０は、３相のうちの１つの相への電流流し出しによって発生する磁界ベクトルの方向が、発生させたい磁界ベクトルの方向と１２０deg以上異なる場合には、当該相の出力をLow出力固定とするか又はハイインピーダンス出力固定とする。
例えば、図１２に示すように、発生させたい磁界ベクトルの電気角が３００deg〜６０degの範囲内であるとき、係る磁界ベクトルの電気角領域３００deg〜６０degと、Ｕ相への電流流し出しによって発生する磁界ベクトルの電気角である１８０degとは１２０deg以上異なるので、コントロールユニット１５０は、発生させたい磁界ベクトルの電気角が３００deg〜６０degの範囲内である場合、インバータ回路３００におけるＵ相出力をLow出力固定とするか又はハイインピーダンス出力固定とする。
【００７１】
Ｕ相出力のLow出力固定状態とは、上アーム側の半導体スイッチ３２０ＵＨの駆動デューティを０％（半導体スイッチ３２０ＵＨをオフ状態）に固定し、下アーム側の半導体スイッチ３２０ＵＬの駆動デューティを１００％（半導体スイッチ３２０ＵＬをオン状態）に固定する制御状態である。
また、Ｕ相出力のハイインピーダンス出力固定状態とは、半導体スイッチ３２０ＵＨ及び半導体スイッチ３２０ＵＬの駆動デューティを共に０％（半導体スイッチ３２０ＵＨ，３２０ＵＬを共にオフ状態）に固定する制御状態である。
【００７２】
また、Ｖ相への電流流し出しによって発生する磁界ベクトルの電気角は３００degであり、Ｗ相への電流流し出しによって発生する磁界ベクトルの電気角は６０degである。
そこで、コントロールユニット１５０は、発生させたい磁界ベクトルの電気角が６０deg〜１８０degの範囲内である場合には、インバータ回路３００におけるＶ相出力をLow出力固定とするか又はハイインピーダンス出力固定とし、発生させたい磁界ベクトルの電気角が１８０deg〜３００degの範囲内である場合には、インバータ回路３００におけるＷ相出力をLow出力固定とするか又はハイインピーダンス出力固定とする。
【００７３】
そして、例えば、発生させたい磁界ベクトルの電気角が３００deg〜６０degの範囲内である場合、コントロールユニット１５０は、Ｖ相に流す電流とＷ相に流す電流とをデューティ制御によってそれぞれ調整して、３００deg〜６０degの範囲内で磁界ベクトルの電気角を変化させる。
Ｖ相への電流流し出しによって電気角３００degの磁界ベクトルが発生し、Ｗ相への電流流し出しによって電気角６０degの磁界ベクトルが発生する。
【００７４】
従って、発生させたい磁界ベクトルの方向が３００degの状態では、Ｗ相への電流の流し出しを遮断してＶ相に電流を流し、発生させたい磁界ベクトルの電気角が変化するのに応じてインバータ回路３００からＶ相に流し出す電流（Ｖ相の出力デューティ）を減らし相対的にインバータ回路３００からＷ相に流し出す電流（Ｗ相の出力デューティ）を増やすことで、磁界ベクトルの電気角を３００degの電気角から増大変化させ、最終的には、Ｖ相への電流流し出しを遮断してＷ相に電流を流すことで、磁界ベクトルの電気角を６０degとすることができる。
【００７５】
同様に、発生させたい磁界ベクトルの電気角が６０deg〜１８０degの範囲内である場合、コントロールユニット１５０は、Ｕ相に流す電流とＷ相に流す電流とをデューティ制御によってそれぞれ調整して、６０deg〜１８０degの範囲内で磁界ベクトルの電気角を変化させ、発生させたい磁界ベクトルの電気角が１８０deg〜３００degの範囲内である場合、コントロールユニット１５０は、Ｕ相に流す電流とＶ相に流す電流とをデューティ制御によってそれぞれ調整して、１８０deg〜３００degの範囲内で磁界ベクトルの電気角を変化させる。
これにより、コントロールユニット１５０は、中性点ＮＰが地絡する故障が発生した場合においても、電動モータ１３０を回転駆動させることができる。
【００７６】
なお、上記のように、中性点ＮＰが地絡した場合には中性点駆動回路６００をLow出力固定とするから、中性点駆動回路６００を半導体スイッチ６００Ｈと半導体スイッチ６００Ｌとで構成する代わりに、中性点ＮＰと接地点とを接続するラインに設けたトランジシタなどの半導体スイッチで構成し、係る半導体スイッチを中性点ＮＰが地絡した場合にオンする構成とすることができる。
【００７７】
また、上記の地絡故障は、中性点ＮＰ（中性点ＮＰから中性点リレー６２０までの間）における地絡故障であるが、コントロールユニット１５０は、中性点リレー６２０から中性点駆動回路６００との間での地絡故障の有無を検出し、中性点リレー６２０から中性点駆動回路６００との間で地絡故障が発生した場合には、中性点リレー６２０をオフ状態に保持させる。
中性点リレー６２０から中性点駆動回路６００との間での地絡故障の有無は、例えば、中性点リレー６２０から中性点駆動回路６００との間に電流検出器３４２（図１２参照）を設け、中性点リレー６２０のオフ状態で、半導体スイッチ６００Ｈをオンし半導体スイッチ６００Ｌをオフしたとき（中性点駆動回路６００をHigh出力固定としたとき）に、電流検出器３４２で電流が検出されるか否かに基づいて診断することができる。
【００７８】
なお、電流検出器３４２に代えて、図１３に示すように、プルアップ抵抗Ｒ５１及び２つのプルダウン抵抗Ｒ５２，Ｒ５３を用いてもよい。具体的には、電源ライン５１０と中性点駆動回路６００及び中性点リレー６２０の間に位置する中性点駆動ライン６１０との間に、プルアップ抵抗Ｒ５１が配設される。また、中性点駆動ライン６１０におけるプルアップ抵抗Ｒ５１の接続点には、２つのプルダウン抵抗Ｒ５２，Ｒ５３を介してグランドＧＮＤが接続される。そして、マイクロコンピュータ１５１は、中性点駆動回路６００のＭＯＳＦＥＴ６００Ｈ及び６００Ｌをオフに制御した状態で、２つのプルダウン抵抗Ｒ５２，Ｒ５３の接続点の電位から、中性点駆動ライン６１０に地絡が発生したか否かを検出する。
【００７９】
そして、中性点リレー６２０から中性点駆動回路６００との間での地絡故障が発生したときに、中性点リレー６２０をオフ状態に保持させる又はハイインピーダンス出力とすることで、電動モータ１３０の各相が正常であれば電動モータ１３０の駆動を継続させることができ、また、中性点駆動回路６００に過電流が流れることを抑制できる。
【００８０】
上記実施形態で説明した各技術的思想は、矛盾が生じない限りにおいて適宜組み合わせて使用することができる。
また、好ましい実施形態を参照して本発明の内容を具体的に説明したが、本発明の基本的技術思想及び教示に基づいて、当業者であれば種々の変形態様を採り得ることは自明である。
【００８１】
例えば、電動モータ１３０は、３相ＤＣブラシレスモータに限定されるものではなく、４相以上の相コイルを有する同期電動機とすることができる。
また、相リレー３３０Ｕ，３３０Ｖ，３３０Ｗを半導体スイッチで構成する場合には、Ｎチャネル型ＭＯＳＦＥＴ又はＰチャネル型ＭＯＳＦＥＴとすることができる。
また、電動モータ１３０は、電動パワーステアリング装置１００において操舵補助力を発生させる電動モータに限定されるものではなく、例えば、車両においてオイルや冷却水を循環させる流体ポンプを駆動する電動モータとすることができる。
【００８２】
ここで、上記実施形態から把握し得る請求項以外の技術的思想について、以下に効果と共に記載する。
（イ）前記遮断回路を通電状態にすると共に前記中性点駆動回路の出力をロー出力とした状態において、発生させたい磁界ベクトルの電気角に応じて、前記多相のうちロー出力固定又はハイインピーダンス出力固定とする相と、デューティ制御する複数相とを設定する、請求項２記載の電動モータの制御装置。
上記構成によると、中性点と遮断回路との間の経路の異常（地絡）によって駆動手段が電流の流し出ししかできない状態で、発生させたい磁界ベクトルの電気角に対して発生磁界の電気角が所定以上に異なる相については、ロー出力固定又はハイインピーダンス出力固定とし、残る複数相が発生する磁界ベクトルの合成で、発生させたい磁界ベクトルの電気角が得られるようにデューティ制御を行うことでモータ駆動を継続できる。
【００８３】
（ロ）前記多相電動モータが３相電動モータであり、
前記３相のうちの１相に前記駆動手段から電流を流し出した場合に発生する磁界ベクトルの電気角が、発生させたい磁界ベクトルの電気角と１２０deg以上異なるときに、前記１相の出力をロー出力固定又はハイインピーダンス出力固定とする、請求項（イ）記載の電動モータの制御装置。
上記構成によると、中性点と遮断回路との間の経路の異常（地絡）によって駆動手段が電流の流し出ししかできない状態で、発生させたい磁界ベクトルの電気角を１２０degの３領域に分け、それぞれの領域でロー出力固定又はハイインピーダンス出力固定とする１相と、デューティ制御する２相とを割り付け、２相が発生する磁界ベクトルの合成で磁界ベクトルの電気角を制御する。
【００８４】
（ハ）前記中性点駆動回路と前記遮断回路との間に電流検出器を設け、前記遮断回路が遮断状態であるときに前記中性点駆動回路をハイ出力固定としたときの前記電流検出器の検出値に基づいて前記中性点駆動回路と前記遮断回路との間の経路における地絡の有無を検出する、請求項３記載の電動モータの制御装置。
上記構成によると、遮断回路の遮断状態で中性点駆動回路をハイ出力固定としたときに、地絡点に流れ込む電流を電流検出器が検出し、地絡の発生を検出することができる。
【００８５】
（ニ）前記駆動手段の上アームを構成する半導体スイッチに流れ込む電流を検出する電流検出器を設け、前記駆動手段による前記多相電動モータの駆動状態での前記電流検出器の検出値に基づいて前記中性点と前記遮断回路との間の経路における地絡の有無を検出する、請求項２記載の電動モータの制御装置。
上記構成によると、駆動手段の上アームを構成する半導体スイッチに流れ込む電流は中性点の地絡によって増大するので、電流の検出結果に基づいて地絡の有無を検出できる。
【００８６】
（ホ）前記各相コイルそれぞれと直列に接続されるスイッチング手段を更に備え、
前記中性点から前記中性点駆動回路までの経路に異常がない状態で前記多相電動モータの多相のうちのいずれかの相で故障が生じたときに、故障が生じた相を前記スイッチング手段によって遮断し、前記遮断回路を通電状態とし、発生させたい磁界ベクトルの電気角に応じて前記中性点駆動回路の出力を変化させる、請求項１から３のいずれか１つに記載の電動モータの制御装置。
上記構成によると、中性点駆動回路の出力を変化させることで、中性点駆動回路からの電流の流し込みと中性点駆動回路への電流の引き込みとを変化させ、電源電圧の有効利用を図ることができる。
【００８７】
（ヘ）前記中性点駆動回路の出力変化が、ハイ出力固定、ロー出力固定、ハイインピーダンス出力固定の切り替えである、請求項（ホ）記載の電動モータの制御装置。
上記構成によると、発生させたい磁界ベクトルの電気角（換言すれば、磁極位置）に基づき、中性点駆動回路から電流を流し込みたい領域、中性点駆動回路に電流を引き込みたい領域を区別して、中性点駆動回路の出力固定状態を切り替えることで、電源電圧の有効利用を図ることができる。
【００８８】
（ト）前記中性点駆動回路の出力変化が、前記中性点駆動回路のデューティを、発生させたい磁界ベクトルの電気角に応じて５０％を中心に変動させる変化である、請求項（ホ）記載の電動モータの制御装置。
上記構成によると、発生させたい磁界ベクトルの電気角（換言すれば、磁極位置）に基づき、前記中性点駆動回路から電流を流し込みたい領域、前記中性点駆動回路に電流を引き込みたい領域を区別してデューティを変化させることで、電源電圧の有効利用を図ることができる。
【００８９】
（チ）前記多相電動モータが、車両用の電動パワーステアリング装置において、操舵補助力を発生させる電動モータである、請求項１から３のいずれか１つに記載の電動モータの制御装置。
上記構成によると、中性点から中性点駆動回路までの経路に異常が生じたときにモータ制御を可能として、操舵補助力の発生を継続させることができる。
【符号の説明】
【００９０】
１００…電動パワーステアリング装置、１３０…電動モータ、１３０Ｕ，１３０Ｖ，１３０Ｗ…相コイル、１４０…駆動装置、１５０…コントロールユニット、１５１…マイクロコンピュータ、３００…インバータ回路（駆動手段）、３３０Ｕ，３３０Ｖ，３３０Ｗ…相リレー（スイッチング手段）、４００…プリドライバ（駆動手段）、５００…電源リレー装置、６００…中性点駆動回路、６００Ｈ，６００Ｌ…半導体スイッチ、６２０…中性点リレー（遮断回路）、７００…バッテリ（電源）
【図１】
2015033269.tif 000003
【図２】
2015033269.tif 000004
【図３】
2015033269.tif 000005
【図４】
2015033269.tif 000006
【図５】
2015033269.tif 000007
【図６】
2015033269.tif 000008
【図７】
2015033269.tif 000009
【図８】
2015033269.tif 000010
【図９】
2015033269.tif 000011
【図１０】
2015033269.tif 000012
【図１１】
2015033269.tif 000013
【図１２】
2015033269.tif 000014
【図１３】
2015033269.tif 000015